(57)【要約】【課題】家電機器向け映像/音声伝送インターフェイス規格HDMIのケーブル構造を簡単として製造が容易で、屈曲しやすく、また、ノイズを低減する。【解決手段】複数組の導線を対として括って撚り合わせて各伝送チャンネル用導線１を構成し、これらを扁平に配列してカバー層２で被覆する。  構造が簡単で、扁平であるため接続する際に屈曲させ易く、断線を防止できる。また、各チャンネル用導線を対として撚り合わせて配列することより電磁遮蔽作用を持たせて、金属導体による遮蔽層を必要としない。【選択図】図２
0003130575.tif 000002
【実用新案登録請求の範囲】
【請求項１】
家電機器向け映像/音声伝送インターフェイス規格HDMIのケーブルにおいて、
チャンネル別に導線を撚り合わせて複数組とした導線組を扁平に配列して伝送回線を構成し、
これら扁平に配列した伝送回線を上下で挟むカバー層で被覆した、
ことを特徴とする家電機器向け映像/音声伝送インターフェイス規格HDMIのケーブル。
【請求項２】
前記伝送回線は、少なくとも三チャンネル、一クロックチャンネル、一ディスプレイデータチャンネル及び複数個の予備線からなる、
ことを特徴とする請求項１記載の家電機器向け映像/音声伝送インターフェイス規格HDMIのケーブル。
【請求項３】
前記チャンネル別の各導線組は、一対の相互に寄り合わせた導線及び一アース線からなる、
ことを特徴とする請求項２記載の家電機器向け映像/音声伝送インターフェイス規格HDMIのケーブル。
【請求項４】
前記カバー層は、絶縁ゴム膜であることを特徴とする請求項１記載の家電機器向け映像/音声伝送インターフェイス規格HDMIのケーブル。
【請求項５】
前記カバー層は、透明であることを特徴とする請求項４記載の家電機器向け映像/音声伝送インターフェイス規格HDMIのケーブル。
【請求項６】
前記カバー層は、不透明であることを特徴とする請求項４記載の家電機器向け映像/音声伝送インターフェイス規格HDMIのケーブル。
【請求項７】
家電機器向け映像/音声伝送インターフェイス規格HDMIのケーブルにおいて、
チャンネル別に導線を撚り合わせて複数組とした導線組を扁平に配列して伝送回線を構成し、
これらの各伝送回線を構成する導線組を遮蔽層によって仕切り、または巻回して被覆し、
これら扁平に配列した伝送回線及び遮蔽層を上下で挟むカバー層で被覆した、
ことを特徴とする家電機器向け映像/音声伝送インターフェイス規格HDMIのケーブル。
【請求項８】
前記遮蔽層は、遮蔽作用を具えた材質で構成されることを特徴とする請求項７記載の家電機器向け映像/音声伝送インターフェイス規格HDMIのケーブル。
【考案の詳細な説明】
【技術分野】
【０００１】
本考案は、ケーブルに関するもので、特に家電機器向け映像/音声伝送インターフェイス規格HDMI(High-Definition Multimedia Interface, HDMI)のケーブルである。加工が簡単で、便利、且つ皮膚反応及び磁場相互感応に依るひずみを有効に下げ、家電機器向け映像/音声伝送インターフェイス規格HDMIに適用するケーブルである。
【背景技術】
【０００２】
従来、陰極線管(Cathode Ray Tube ，CRT)ディスプレイは、アナログ信号により駆動されていたため、公知のコンピュータデジタルディスプレイのコネクタープラグはアナログ信号で伝送していた。先ず、コンピュータの映像カード内のデジタル信号をＤ/Ａコンバータ（Digital to Analog Converter, DAC）回路でアナログ信号に転換し、その後アナログ信号をデジタルディスプレイに送り、最後にデジタルディスプレイ内部のＡ/Ｄコンバータ（Analog to Digital Converter, ADC）回路を通過して再びデジタル信号に転換する。例として、先ずデジタル信号をアナログ信号に転換し、次にアナログ信号で伝送し、最後にアナログ信号をまたデジタル信号表示に変換する。この信号は、二回の転換過程中において、ノイズが信号のひずみを引き起こしやすい。仮に直接デジタル信号で伝送すれば、その間信号転換をしていないので、信号のひずみ発生という状況を回避することができる。そのため純デジタル式信号を伝送するデジタルインターフェイスは、公知のアナログ式伝送方式より優れた伝送品質であると言える(信号の完全性)。
【０００３】
完全な信号品質を追求するためには、デジタル映像インターフェイス（Digital Visual Interface，DVI）のインターフェイスが適用される必要が有る。また、このDVIのインターフェイスは、主にデジタル表示出力機能を具えたコンピュータ表示カードと共にコンピュータのモニタで表示するRGB信号で接続する。DVIデジタルインターフェイスに依る伝送過程ではすべてデジタルフォーマット伝送を採用しており、メイン機体からモニターまでの伝送過程中においてデーターの完全性を保証している（ノイズなしで入れる）。そのため鮮明な画像を得ることができ、デジタルディスプレイ ，例として液晶映写機、プラズマテレビ、液晶テレビ(LCD TV)等デジタル製品をより良い画質にすることができる。一部のハイレベルの製品規格内では、DVIプラグを使用するよう特に注記される。
【０００４】
デジタル映像インターフェイス（DVI）は良好な信号伝送品質を具えるものの、デジタル映像信号の伝送だけに用いられ、オーディオ部分に関しては伝送できない。このため、多くのメーカーもDVIを基礎として家電機器向け映像/音声伝送インターフェイス規格HDMI（High Definition Multimedia Interface；HDMI）を再度制定している。この種のインターフェイスは、映像信号の他に更にオーディオ信号部分を含む。また音声と映像信号どちらも同一ケーブル線上に載せる。そのため複数本の信号線を接続する必要がなく、即ち一本のケーブル内で圧縮しない、もしくは圧縮した高明晰度の映像とマルチチャンネル音声を安全に伝送する。つまり大量に高解析度、高質量の内容を提供できるので、接続線の削減で使用が簡素化し、故に新世代の消費性電子製品の重要技術の一つとなり、すでに未来のフラットディスプレイ設備の標準インターフェイスとなっている。
【０００５】
第４図に示すのは、家電機器向け映像/音声伝送インターフェイス規格HDMI（HDMI）の信号伝送回線の立体図である。このHDMI伝送回線３０は、複数の二本一対で構成された導線３１１、３１２が被覆されて配列され、また導線３１１、３１２は、それぞれ銅導線３１１ａ、３１２ａ(copper conductor)に分かれて、それぞれが外側に絶縁被覆３１１ｂ、３１２ｂ(insulation)で覆われる。更に被覆された導線３１１、３１２外面はアルミ箔層３２(aluminum foil)で覆い、続いてアルミ箔層３２外に銅網層３３(copper braid)で包み、最後に絶縁ゴム層３４で覆う。このようにして伝送信号のHDMI伝送回線３０とする。
【０００６】
HDMI伝送回線３０は、アルミ箔層３２及び銅網層３３等の金属材層で隔絶防護して外界のノイズ干渉(disturbance)を防ぎ、また一対になった導線３１１、３１２はセットで束ねて相互に干渉するのを防止する。(interfere)。
【０００７】
しかしながら、公知のHDMI伝送回線３０は、円柱形状で、線直径は比較的太く、接続する対象となる電器機体、例として液晶映写機、プラズマテレビ、液晶テレビ、もしくはコンピュータ等に対して接続箇所は壁に接した位置にあることが多く、またHDMI伝送回線30は過度に屈曲できないため、電器機体を壁に近づけることができず、設置の時に不便を生じる。
【０００８】
同時に、被覆した導線をコネクターに結合する時、各導線とコネクター固定線材を相対的に位置決め後、伝送回線とコネクターを相互に結合し、組み立てる組立コストも高い。
【０００９】
更に、HDMIの伝送回線３０末端に設置したコネクターと電器機体上のコネクタープラグの方向が合わない場合、通常直接このHDMIの伝送回線３０を捻って回転させたりしなければならないが、このHDMI伝送回線３０の線直径は太いため、内部で断線したり、或いはその内部の導線３１１，３１２が傷ついたりしやすく、HDMI伝送回線３０が信号を伝送できなかったり、接触不良を起こしたりする。
【００１０】
また、このHDMI伝送回線３０は、線直径が太いため、電器機体に差し込む時、曲げにくく、過度に曲げると、傷ついてしまう。そのためHDMI伝送回線３０を過度に曲げたり、もしくは屈曲させたりしないように注意しなければならないため、電器機体に設置する時に不便を生じる。
【００１１】
この他、HDMI伝送回線３０内部の金属材のアルミ箔層３２及び銅網層３３は、線自体が重いので、長い区間を接続する場合には固定手段を使用して中間位置で固定して支持し、線が圧迫されたり、損傷するのを防ぐ必要が有る。
【００１２】
さらに、このHDMI伝送回線３０の構造は、被覆した導線３１１、３１２外にはアルミ箔層３２、銅網層３３及び絶縁ゴム層３４の順で覆う複雑な構造である。メーカーに依ると、少なくとも三回の被覆工程があり、その製造過程は複雑であるため、コストが高く、コスト低減は困難だということである。
【００１３】
例として、前述のHDMIインターフェイスは、将来マルチメディア電子製品の主要技術であるが、HDMI伝送回線３０の構造に上述のような欠点があるため、これらは目下HDMIインターフェイスの必須解決問題である。
【特許文献１】特開２００５−１９３３０号公報
【特許文献１】特開２００２−３４３１４０号公報
【考案の開示】
【考案が解決しようとする課題】
【００１４】
解決しようとする問題点は、上記の複雑な製造加工工程を簡単にし、使用に便で、且つひずみの発生を防止することである。
【課題を解決するための手段】
【００１５】
本考案は、複数組の導線を対として撚り合わせ、これらの組を扁平状に配列して構成される伝送回線、及び伝送回線をその間に挟む二つのカバー層を含む。この伝送回線は、これらの配列構造によりその断面は扁平であり、例として湾曲設置、及び差込接続することにより、構造が簡素化して材料コストを下げ、更に製造工程を簡素化する。この他、別に連続延長した遮蔽層を設けて伝送回線を差し込むか、もしくは巻きつける方式で伝送回線を分配対方式で一組にして覆い仕切る。これによって各線組間がそれぞれ遮蔽効果を具え、信号が高周波伝送する時の完全性を保護し、外界と線組間の電磁波妨害を受けないことを最も主要な特徴とする。
【考案の効果】
【００１６】
本考案の家電機器向け映像/音声伝送インターフェイス規格HDMIのケーブルは、加工が簡単で、便利、且つ電磁遮蔽によりひずみを効果的に低減するという利点がある。
【考案を実施するための最良の形態】
【００１７】
本考案の主な目的は、種家電機器向け映像/音声伝送インターフェイス規格HDMI(High-Definition Multimedia Interface, HDMI)のケーブルを提供することである。
【００１８】
本考案の別の目的は、屈曲して設置しやすい高解析度マルチメディアケーブルを提供して空間を節約する。
【００１９】
本考案の別の目的は、コストの低廉な家電機器向け映像/音声伝送インターフェイス規格HDMIケーブルを提供する。
【００２０】
本考案の更に別の目的は、加工の便利性を具えた家電機器向け映像/音声伝送インターフェイス規格HDMIケーブルを提供することにある。
【００２１】
上述の目的及びその他目的のため、本考案の家電機器向け映像/音声伝送インターフェイス規格HDMIのケーブルは、扁平状に配列した複数組の導線を対に絞った伝送回線、及び上下に並列した伝送回線両面にこれらの伝送回線を二つカバー層の間に挟む二つのカバー層を含む。この他、別に別に連續延長した遮蔽層を増やして伝送回線を差し込む、もしくは巻きつける方式で伝送回線を分配対方式で一組にして覆い仕切る。これによって各線組間がそれぞれ遮蔽効果を具え、信号が高周波伝送する時の完全性を保護し、外界と線組間の電磁波妨害を受けない。
【００２２】
ひとつの実施例において、少なくとも三チャンネル、一クロックチャンネル、一ディスプレイデータチャンネル及び複数本の予備線を含む。またこのチャンネルは、伝送映像及び音声信号に用い、且つこのチャンネルは二本を相互に対絞りした導線及び一アース線から構成される。これによって対絞りした導線とアース線が外界妨害及び内部干渉を防止し、構造を簡素化することによって、使用例としての公知構造のアルミ箔層及び銅網層等材料より材料コストを下げる。
【００２３】
本考案では並不使用例としたアルミ箔層及び銅網層等の質量(mass)が重い材料は使用せずに外界のノイズ妨害を防止する構造である。線を電器機体に差し込む際の重量が下がったことで、線体中段部位にその他の部品に依る支持をする必要が無く、設置時の面倒が減る。
【００２４】
複数組の伝送回線を並列に設置し、カバー層で上下を挟むことにより、例としての公知の円管形状で覆う煩雑さを改善し、製造工程が簡素化し、故に製造コストも下がる。
【００２５】
この他、本考案の複数組の伝送回線は、並列設置でその断面が薄片の扁平形状構造であるため、電器機体的コネクター上に設置しやすくなり、屈曲に依る損傷を防止し、便利である。
【００２６】
更に本考案は、複数組の伝送回線を扁平状構造にすることで、本考案は電器機体と壁の間の隙間に湾曲させて設置しやすくなり、使用空間を縮小し、電器機体全体に占める使用位置を小さくする。
【実施例１】
【００２７】
以下は、特定の具体実施例に依る本考案の実施方式を説明したものである。この技術に詳しい者は本説明書に掲示された内容の長所と効果を理解すると思われる。本考案はその他異なる具体実施例により、施行、もしくは応用することができるものである。本説明書の各項の細かい部分については本考案の精神に基づき、また異なる観点と応用に基づき、各種の修飾と変化を行う。
【００２８】
第１図及び第２図は、本考案の正面図及び断面図であり、本考案の家電機器向け映像/音声伝送インターフェイス規格HDMIのケーブルの構造は、複数組の伝送回線１及びカバー層２から構成される。この伝送回線１は、扁平状に配列し、またその上下表面は各々カバー層２，例として透明、もしくは不透明の絶縁ゴム膜を結合し、並べて配列した伝送回線１を二つのカバー層２の間に挟み、信号ケーブル１０を構成する。そのうち、本考案の信号ケーブル１０の組み立ては手作業、もしくは自動化工程で完成する。本案申請人は２００４年６月６日に申請した方法(台湾申請案件番号921153352号案)で製造し、スピーディ及び簡易に本考案の構造を製造し、便利性を加えている。
【００２９】
第３図に示すのは、信号ケーブル１０の各伝送回線１の作用及び機能を示す図である。この複数組の伝送回線１は、少なくとも三個のチャンネル１１(channel)、一クロックチャンネル１２(clock channel)、一ディスプレイデータチャンネル１３(display data channel)、及び複数本の控制線１４(consumer electronic control)を含み、且つその中のチャンネル１１は、二本の相互に括った導線１１ａ、及びアース線１１ｂを含む。また複数組のチャンネル１１は、伝送映像信号及び音声信号に分かれる。このクロックチャンネル１２は、パルス信号を伝送してチャンネル１１が信号を伝送する時の参照信号とする。このディスプレイデータチャンネル１３は、伝送信号のデータ，例としてデータ名称、大きさ、時間…等を表示するのに用いる。この控制線（予備線）１４は、使用者自分で用途を選択し、調整空間を使用者に提供してその他信号の制御とする。
【００３０】
チャンネル１１の両導線１１ａは、相互に括り、且つアース線１１ｂと共にこれら導線１１ａが相互に内部干渉するのを抑える。更にアース線１１ｂを外界の妨害から保護する、例として伝送回線１が信号を伝送する過程において外界及び内部の妨害と干渉を避けることにより、伝送の品質が向上する。
【００３１】
チャンネル１１は、上述の組立及び構造に依って信号の妨害と干渉を防止し、従来必要とした構造、例えば公知構造の金屬箔、もしくは金屬網を使用しなくてもよい。故に材料を節約し、材料コストを下げる。更にこの信号ケーブル１０は、上述の金屬材料を使用せずに、遮蔽構造とするので，重量を減らし、信号ケーブル１０を電器機体に接続すると、信号ケーブル１０両端において支持荷重を減らし、遠距離で接続する時に使用する固定部品の数量を減らし、更には固定部品を使用しなくてもよくなり、使用上便利である。
【００３２】
更にこの複数組の伝送回線1は、扁平状に配列し、更にカバー層2で上下を覆い、伝送回線1を平らにして両カバー層２の間に挟むことによって、構造上サンドイッチ構造となり、これによって構造が簡素化され、公知の円柱形状のカバー形態より簡易となり、これによって製造コストが下がり、市場競爭力が高まる。同時に公知の技術と比べて、本考案はコネクターと結合するのに便利である。
【００３３】
この他、信号ケーブル１０の断面は、扁平状であるため、湾曲しやすく、また湾曲させてコネクターに差し込んだり、もしくは設置したりした時に損傷するのを防止する。更にこの信号ケーブル１０の外形が扁平であることにより小さな湾曲半径を形成し、小さい半径で折り曲げて信号ケーブル１０を隙間に差し込むことができる。これによって空間を節約し、信号線のために大きな空間を取らなければならない欠点を改善する。
【実施例２】
【００３４】
第５図及び第６図は、本考案の第二実施例断面図である。単一チャンネル１１は、一対の導線１１ａが相互に括られ、更にアース線１１ｂとチャンネルを形成することにより、遮蔽層４を通じて複数組の伝送回線１内に含まれる各チャンネルを分割し、構成信号ケーブル１０、もしくは各伝送回線１内に含まれる各チャンネルを遮蔽層内にそれぞれ巻き付け予め分割して信号ケーブルを形成し、各組の対をなす撚り合わされた導線で相互に遮蔽する効果を具え（shielding）、高周波伝送時の完全性、及び外界と線の間の電磁波妨害から保護し、音声/映像がより精細で明晰な音を再現する。
【００３５】
上述は、本考案の一実施例にすぎず、本考案の実質技術内容の範囲を限定するものではない。本考案の実質技術内容は申請範囲とし、如何なる技術実体でも申請範囲と同じ、もしくは同一効果の変更はこの申請範囲内に含まれる。
【図面の簡単な説明】
【００３６】
【図１】本考案の家電機器向け映像/音声伝送インターフェイス規格HDMIのケーブル的正面図である。
【図２】本考案の家電機器向け映像/音声伝送インターフェイス規格HDMIのケーブル的断面図である。
【図３】本考案の家電機器向け映像/音声伝送インターフェイス規格HDMIのケーブルの作用及び機能の示意図である。
【図４】公知のHDMI伝送回線の立体図である。
【図５】本考案の家電機器向け映像/音声伝送インターフェース規格HDMIのケーブル第二実施例断面図である。
【図６】本考案の家電機器向け映像/音声伝送インターフェース規格HDMIのケーブル第二実施例の他の形態における断面図である。
【符号の説明】
【００３７】
１        伝送回線
１０        信号ケーブル
１１        チャンネル
１１ａ      導線
１１ｂ      アース線
１２        クロックチャンネル
１３        ディスプレイデータチャンネル
１４        控制線
２        カバー層
３０        伝送回線
３１１        導線
３１１ａ      銅導線
３１１ｂ      絶縁皮
３１２        導線
３１２ａ      銅導線
３１２ｂ      絶縁皮
３２        アルミ箔層
３３        銅網層
３４        絶縁ゴム層
４        遮蔽層
【図１】
0003130575.tif 000003
【図２】
0003130575.tif 000004
【図３】
0003130575.tif 000005
【図４】
0003130575.tif 000006
【図５】
0003130575.tif 000007
【図６】
0003130575.tif 000008